(57)【要約】【課題】  内壁パネルの軸組への固定に際し、内壁パネルを構成する内壁枠と軸組との間の空間に、内壁枠の裏面を覆って設けられた断熱材を、容易且つ確実に充填する手段を提供する。【解決手段】  本内壁パネル固定金具４は、基板１３と、該基板１３の裏面から突設され軸組２の屋外側に係止される係止部材１４と、内壁枠８の屋外側面８ａに当接される内壁枠裏当て板１５に直交するように嵌挿固定され一端側が内壁枠裏当て板１５の軸組２に面する裏面から突出した中空のパイプ部材１６からなるスペーサ１７と、パイプ部材１６に外嵌しその一端が内壁枠裏当て板１５の裏面に他端が基板１３の表面にそれぞれ当接することによって内壁枠裏当て板１５を基板１３と反対方向へ付勢するコイルスプリング１８と、パイプ部材１６内に屋内側から挿通され一端側が基板１３に表面側から螺合された固定ボルト１９と、該固定ボルト１９の他端側の頭部１９ａと内壁枠８との間に介在される内壁枠押さえ板２０と、を具備するものである。【選択図】  図４
2006070496.tif 000002
【特許請求の範囲】
【請求項１】
一対の軸柱を隙間を空けて配置された建物の軸組の屋内側に、矩形に枠組みされた内壁枠に断熱材が取り付けられてなる内壁パネルを固定する内壁パネル固定金具において、
前記軸組の屋内側面に沿わせるようにして配置される基板と、該基板に一端が固定され他端側が該基板の裏面から突設され前記軸組の隙間を通って軸組の屋外側に係止される係止部材と、前記基板に平行して設けられ前記内壁枠の屋外側面に当接される内壁枠裏当て板に直交するように嵌挿固定され一端側が前記内壁枠裏当て板の前記軸組に面する裏面から突出した中空のパイプ部材からなるスペーサと、該スペーサのパイプ部材に外嵌しその一端が前記内壁枠裏当て板の裏面に他端が前記基板の表面にそれぞれ当接することによって前記内壁枠裏当て板を前記基板と反対方向へ付勢するコイルスプリングと、前記パイプ部材内に屋内側から挿通され一端側が前記基板に表面側から螺合された固定ボルトと、該固定ボルトの他端側の頭部と前記内壁枠の屋内側面との間に介在される内壁枠押さえ板と、を具備することを特徴とする内壁パネル固定金具。
【請求項２】
前記固定ボルトの頭部に、ドライバを差し込むための溝が形成されたことを特徴とする請求項１に記載の内壁パネル固定金具。
【請求項３】
前記係止部材は、前記軸組の隙間の幅より幅狭であって且つ該隙間の奥行きより長尺な部材の先端部に、前記隙間の幅より幅広な拡幅部が設けられてなるものであることを特徴とする請求項１又は２に記載の内壁パネル固定金具。
【請求項４】
一対の軸柱を隙間を空けて配置された建物の軸組の屋内側に、矩形に枠組された内壁枠に断熱材が取り付けられてなる内壁パネルを固定する内壁パネルの固定構造において、
基板と、該基板の裏面から突設された係止部材と、前記基板に平行して設けられた内壁枠裏当て板に直交するように嵌挿固定され一端側が前記内壁枠裏当て板の前記軸組に面する裏面から突出した中空のパイプ部材からなるスペーサと、該スペーサのパイプ部材に外嵌しその一端が前記内壁枠裏当て板の裏面に他端が前記基板の表面にそれぞれ当接することによって前記内壁枠裏当て板を前記基板と反対方向へ付勢するコイルスプリングと、前記パイプ部材内に屋内側から挿通され一端側が前記基板に表面側から螺合された固定ボルトと、該固定ボルトの他端側の頭部と前記内壁枠の屋内側面との間に介在される内壁枠押さえ板と、を具備してなる内壁パネル固定金具が、前記係止部材を前記軸組の隙間を通して軸組の屋外側に係止させるとともに前記基板を前記軸組の屋内側面に沿わせることにより前記軸組に取り付けられ、
前記内壁パネルが、その内壁枠の屋内側面を前記内壁枠裏当て板に、屋外側面を内壁枠押さえ板にそれぞれ当接させることにより、前記軸組から前記コイルスプリングの初期長さ分だけ離間した位置に建て込まれ、前記固定ボルトを回転させることにより、前記内壁パネルが屋内側へ移動して前記パイプ部材の一端が前記基板の表面に当接した位置で固定されたことを特徴とする内壁パネルの固定構造。
【発明の詳細な説明】
【技術分野】
【０００１】
本発明は、住宅等の建物の内壁部において内壁パネルを建物の軸組みに固定する内壁パネル固定金具に関し、特に、内壁枠の屋外側面を覆って設けられた断熱材を、内壁枠と軸組との間の空間に容易且つ確実に充填することが可能な内壁パネル固定金具に関する。
【背景技術】
【０００２】
従来、住宅等の建物における内壁部は、所定の間隔毎に設けられた複数の軸組の間に、内壁パネルを順次取り付けることで構成される。この内壁パネルの軸組への取り付けは、内壁パネルの両端部を、固定金具を用いて軸組にそれぞれ固定することにより行うのが一般的である。図１３は、従来例に係る内壁部８０の構造を示す概略斜視図である（特許文献１参照）。図に示すように、内壁部８０は、木材等を枠組みした内壁枠８１と該内壁枠８１の裏面を覆うようにして設けられた断熱材８２とを具備してなる内壁パネル８３が、内壁パネル固定金具８４によって軸組８５に固定されることで構成されている。
【０００３】
内壁パネル固定金具８４は、軸組８５に取り付けるための基部８６と、該基部８６と螺合するボルト８７と、金属プレートの両端部を略９０°曲折して曲折部８８ａを形成したスペーサ８８と、を具備するものである。一方、内壁パネル８３を構成する断熱材８２は、その厚みが前記スペーサ８８の長さ寸法より大きいものであり、その両端が内壁枠８１の両端と同じ位置となるように内壁枠８１の裏面をも覆った状態で取り付けられている。
【０００４】
内壁パネル８３の軸組８５への固定に際しては、内壁パネル固定金具８４を、その基部８６を軸組８５に係止させるとともに、スペーサ８８の一方の曲折部８８ａを軸組８５に当接させるようにして軸組８５に取り付ける。その後、該内壁パネル固定金具８４の左右両側方に内壁パネル８３をそれぞれ取り付ける。その際、内壁枠８１の屋外側面をスペーサ８８の他方の曲折部８８ａに当接させるとともに、断熱材８２を内壁枠８１と軸組８５との間の空間８９に押し込むようにして内壁パネル８３を取り付ける。その後、ボルト８７を、その頭部が内壁パネル８３の屋内側面８３ａに当接するまでねじ込む。これにより、内壁パネル８３は、ボルト８７の頭部によって屋外側へ押圧されることで軸組８５に押し当てられて固定されるものとなっている。
【０００５】
このように、内壁パネル８３を、その内壁枠８１が軸組８５から所定間隔だけ離間するようにして軸組８５に固定し、内壁枠８１と軸組８５との間に断熱材８２を介在させることにより、内壁枠８１から軸組８５への熱伝導が抑制される。これにより、内壁パネル８３をその内壁枠８１を軸組８５に直に当接させて固定する場合と比較して、屋内から屋外への熱損失が低減され、内壁部８０の断熱性能を向上させることが可能となっている。
【０００６】
【特許文献１】特開２００３−１９３５９２号公報
【発明の開示】
【発明が解決しようとする課題】
【０００７】
しかし、従来の内壁パネル固定金具８４を用いた内壁パネル８３の固定構造では、内壁パネル８３の取り付けに際し、前記スペーサ８８によって内壁枠８１と軸組８５との間に確保された空間８９に、内壁枠８１の裏面を覆う断熱材８２を充填する必要があり、また、前述のように、断熱材８２の厚みは、スペーサ８８の長さより十分大きいものである。従って、作業者が、断熱材８２を押し込んだり引っ張る等して空間８９に充填させなければならず、このような作業は施工能率を低下させ、また、熟練した作業者が必要とされる、という問題がある。
【０００８】
また、従来の内壁パネル固定金具８４では、内壁パネル８３を、軸組８５に取り付けられた内壁パネル固定金具８４のスペーサ８８に押し当てて固定するため、内壁パネル８３の仕上がり状態、例えば、内壁パネル８３の垂直性を表す「建ち」や、各内壁パネル８３が一直線に並んでいる度合いを表す「通り」は、主として軸組８５や内壁パネル固定金具８４の寸法精度や取付精度等に依存するものとなっている。従って、内壁部８０の施工後に建ちや通りを確認した結果、予め定められた基準値以内に入っていない場合に、この誤差を、簡易な作業で且つ高い精度で修正する手段が必要とされている。
【０００９】
本発明は、このような問題に鑑みてなされたものであり、内壁パネルの軸組への固定に際し、内壁パネルを構成する内壁枠と軸組との間の空間に、内壁枠の裏面を覆って設けられた断熱材を、容易且つ確実に充填することを可能とする手段を提供する。
【課題を解決するための手段】
【００１０】
上記目的を達成するための請求項１の発明は、一対の軸柱を隙間を空けて配置された建物の軸組の屋内側に、矩形に枠組みされた内壁枠に断熱材が取り付けられてなる内壁パネルを固定する内壁パネル固定金具において、前記軸組の屋内側面に沿わせるようにして配置される基板と、該基板に一端が固定され他端側が該基板の裏面から突設され前記軸組の隙間を通って軸組の屋外側に係止される係止部材と、前記基板に平行して設けられ前記内壁枠の屋外側面に当接される内壁枠裏当て板に直交するように嵌挿固定され一端側が前記内壁枠裏当て板の前記軸組に面する裏面から突出した中空のパイプ部材からなるスペーサと、該スペーサのパイプ部材に外嵌しその一端が前記内壁枠裏当て板の裏面に他端が前記基板の表面にそれぞれ当接することによって前記内壁枠裏当て板を前記基板と反対方向へ付勢するコイルスプリングと、前記パイプ部材内に屋内側から挿通され一端側が前記基板に表面側から螺合された固定ボルトと、該固定ボルトの他端側の頭部と前記内壁枠の屋内側面との間に介在される内壁枠押さえ板と、を具備するものである。
【００１１】
請求項２の発明は、前記固定ボルトの頭部に、ドライバを差し込むための溝が形成されたものである。
【００１２】
請求項３の発明は、前記係止部材は、前記軸組の隙間の幅より幅狭であって且つ該隙間の奥行きより長尺な部材の先端部に、前記隙間の幅より幅広な拡幅部が設けられてなるものである。
【００１３】
請求項４の発明は、一対の軸柱を隙間を空けて配置された建物の軸組の屋内側に、矩形に枠組された内壁枠に断熱材が取り付けられてなる内壁パネルを固定する内壁パネルの固定構造において、基板と、該基板の裏面から突設された係止部材と、前記基板に平行して設けられた内壁枠裏当て板に直交するように嵌挿固定され一端側が前記内壁枠裏当て板の前記軸組に面する裏面から突出した中空のパイプ部材からなるスペーサと、該スペーサのパイプ部材に外嵌しその一端が前記内壁枠裏当て板の裏面に他端が前記基板の表面にそれぞれ当接することによって前記内壁枠裏当て板を前記基板と反対方向へ付勢するコイルスプリングと、前記パイプ部材内に屋内側から挿通され一端側が前記基板に表面側から螺合された固定ボルトと、該固定ボルトの他端側の頭部と前記内壁枠の屋内側面との間に介在される内壁枠押さえ板と、を具備してなる内壁パネル固定金具が、前記係止部材を前記軸組の隙間を通して軸組の屋外側に係止させるとともに前記基板を前記軸組の屋内側面に沿わせることにより前記軸組に取り付けられ、前記内壁パネルが、その内壁枠の屋内側面を前記内壁枠裏当て板に、屋外側面を内壁枠押さえ板にそれぞれ当接させることにより、前記軸組から前記コイルスプリングの初期長さ分だけ離間した位置に建て込まれ、前記固定ボルトを回転させることにより、前記内壁パネルが屋内側へ移動して前記パイプ部材の一端が前記基板の表面に当接した位置で固定されたものである。
【発明の効果】
【００１４】
本発明に係る内壁パネル固定金具によれば、軸組の屋内側面に沿わせるようにして配置される基板と、該基板に一端が固定され他端側が該基板の裏面から突設され軸組の隙間を通って軸組の屋外側に係止される係止部材と、基板に平行して設けられ内壁枠の屋外側面に当接される内壁枠裏当て板に直交するように嵌挿固定され一端側が内壁枠裏当て板の軸組に面する裏面から突出した中空のパイプ部材からなるスペーサと、該スペーサのパイプ部材に外嵌しその一端が内壁枠裏当て板の裏面に他端が基板の表面にそれぞれ当接することによって内壁枠裏当て板を基板と反対方向へ付勢するコイルスプリングと、パイプ部材内に屋内側から挿通され一端側が基板に表面側から螺合された固定ボルトと、該固定ボルトの他端側の頭部と内壁枠の屋内側面との間に介在される内壁枠押さえ板と、を具備するので、
内壁パネルを、その内壁枠が軸組から離間するようにして軸組に固定する場合に、内壁枠と軸組との間の空間に、内壁枠の裏面を覆って設けられた断熱材を容易且つ確実に充填することができる。すなわち、内壁パネルの建て込み時に、内壁枠と軸組との間にコイルスプリングの初期長さ分の広い空間を確保した状態で内壁パネルを建て込むことができるので、内壁枠の裏面を覆って設けられた断熱材を前記空間に容易に押し込むことができ、その後、固定ボルトを屋外側にねじ込むことにより、断熱材が内壁パネル固定金具及び軸組の形状に沿って弾性変形して前記空間に隙間なく充填される。また、内壁パネルを軸組に固定した後に、その仕上がり状態に応じて、固定ボルトを左回りに回転させることにより、内壁パネルの位置を屋内側に微調整することができる。これにより、内壁部において高い精度の仕上がりを達成することができる。
【００１５】
また、本発明によれば、固定ボルトの頭部に、ドライバを差し込むための溝が形成されので、固定ボルトを回転させて屋外側へねじ込む作業を、ドライバを使用して容易に行うことができる。
【００１６】
また、本発明によれば、係止部材は、軸組の隙間の幅より幅狭であって且つ該隙間の奥行きより長尺な部材の先端部に、前記隙間の幅より幅広な拡幅部が設けられてなるものなので、該係止部材を縦向きにして軸組の隙間に挿入し、９０°回転させて係止部材を横向きにするだけの容易な作業により、係止部材を軸組に係止させることができる。
【００１７】
また、本発明に係る内壁パネルの固定構造によれば、前記内壁パネル固定金具が、係止部材を軸組の隙間を通して軸組の屋外側に係止させるとともに基板を軸組の屋内側面に沿わせることにより軸組に取り付けられ、内壁パネルが、その内壁枠の屋内側面を内壁枠裏当て板に、屋外側面を内壁枠押さえ板にそれぞれ当接させることにより、軸組からコイルスプリングの初期長さ分だけ離間した位置に建て込まれ、固定ボルトを回転させることにより、内壁パネルが屋内側へ移動してパイプ部材の一端が基板の表面に当接した位置で固定されたので、
内壁パネルを、その内壁枠が軸組から離間するようにして軸組に固定する場合に、内壁枠と軸組との間の空間に、内壁枠の裏面を覆って設けられた断熱材を容易且つ確実に充填することができる。すなわち、内壁パネルの建て込み時に、内壁枠と軸組との間にコイルスプリングの初期長さ分の広い空間を確保した状態で内壁パネルを建て込むことができるので、内壁枠の裏面を覆って設けられた断熱材を前記空間に容易に押し込むことができ、その後、固定ボルトを屋外側にねじ込むことにより、断熱材が内壁パネル固定金具及び軸組の形状に沿って弾性変形して前記空間に隙間なく充填される。また、内壁パネルを軸組に固定した後に、その仕上がり状態に応じて、固定ボルトを左回りに回転させることにより、内壁パネルの位置を屋内側に微調整することができる。これにより、内壁部において高い精度の仕上がりを達成することができる。
【実施例】
【００１８】
以下、本発明の実施例に係る建物の内壁部１の構造について図面に基づいて説明する。図１乃至図５は、本内壁部１の構造を示す図であり、図１は内壁パネル固定金具４を軸組２に取り付けた状態を示す概略平面図、図２は図１におけるＡ−Ａ線断面図、図３は断熱内壁パネル３を建て込んだ状態を示す概略平面図、図４は断熱内壁パネル３を軸組２に固定した状態を示す概略平面図、図５は図４におけるＢ−Ｂ線断面図である。図４及び図５に示すように、内壁部１は、建物の軸組２の屋内側に、複数の断熱内壁パネル３が相隣接するようにして配置され、相隣接する断熱内壁パネル３のうち一方の断熱内壁パネル３の右端部と他方の断熱内壁パネル３の左端部とが、内壁パネル固定金具４によって軸組２に固定されることにより構成されている。
【００１９】
前記軸組２は、図に詳細は示さないが、いわゆるＣ型鋼からなる左右一対の軸柱５と、該軸柱５に直交する上下一対の軸桟とが略矩形に枠組みされ、その内部に、補強のための中柱や中桟やＸ字状の耐力ブレース等が設けられてなる従来公知のものである。このように構成される複数の軸組２が、図４に示すように、所定間隔の隙間をあけて相隣接するように配置され、互いに隣接する軸組２の軸柱５同士が図示しないボルト等により固定されている。
【００２０】
前記断熱内壁パネル３は、図６に示すように、左右一対の縦柱６の間に複数の横桟７が架設されることで矩形に枠組みされた内壁枠８と、該内壁枠８の屋外側面８ａを覆うようにして設けられた易変形断熱材（断熱材）９と、内壁枠８の屋内側面８ｂ全体に貼設された防湿シート１０と、を具備してなるものであり、本実施例では、内壁枠８を、縦柱６及び横桟７が鋼材からなる鋼製内壁枠として構成している。この縦柱６は、図３に示すように、横断面が矩形である角鋼の一隅部に、横桟７を受けるための横桟受け部６ａが突設されるとともに、該横桟受け部６ａと対角位置にある隅部に、後述する内壁枠押さえ板２０を収容するための段落ち部６ｂが形成されてなるものである。また、横桟７は、図に詳細は示さないが、鋼板をＳ字型に曲折してなるものであり、その長手方向両端部が、左右の縦柱の前記各横桟受け部６ａにそれぞれ当接させて配置され、ビス等により固定されている。この時、縦柱６の屋内側面と横桟７の屋内側面とが略面一となっており、内壁枠８の屋内側面８ａに防湿シート１０を貼設しやすく、また、断熱内壁パネル３の屋内側に図示しない石膏ボードを取り付ける作業が行いやすくなっている。
【００２１】
易変形断熱材９は、例えばグラスウール、ロックウール等の繊維状のものであり、押圧を受けることにより容易に変形可能なものである。この易変形断熱材９は、予め、内壁枠８に合わせて適度な大きさに裁断され、繊維が解けたりしないように袋体に詰められている。この易変形断熱材９は、図６に示すように、その大きさが内壁枠８と同程度であって、内壁枠８の屋外側面８ａに取り付けた時に、易変形断熱材９の左右両端が内壁枠８の左右両端と同じ位置となり、縦柱６はその屋外側面が易変形断熱材９によって覆われるものとなっている。このように易変形断熱材９を縦柱６の屋外側面をも覆って設けることにより、図４に示すように、断熱内壁パネル３を軸組２に固定した時に、縦柱６と軸組２との間に生じる空間１１に易変形断熱材９の端部を充填して、内壁部１の断熱性能を向上させることが可能となっている。また、易変形断熱材９の厚みは、縦柱６と軸組２との間の空間１１に隙間なく充填するために、少なくとも、縦柱６と軸組２との離間距離より大きくすることが好ましい。このように構成される易変形断熱材９は、図６に示すように、所定間隔毎にスタッド１２を用いて内壁枠８の屋外側面８ａに固定されている。
【００２２】
図７及び図８は、前記内壁パネル固定金具４の概略構成を示す図であり、図７は斜視図、図８は分解斜視図である。図７及び図８に示すように、内壁パネル固定金具４は、前記軸組２の屋内側面に沿わせるようにして配置される基板１３と、該基板１３の裏面側に突出して設けられ軸組２の屋外側面に係止される係止部材１４と、内壁枠裏当て板１５にパイプ部材１６が嵌挿固定されてなり断熱内壁パネル３の固定位置を決定するスペーサ１７と、パイプ部材１６における内壁枠裏当て板１５の裏面から突出した部分に外嵌して設けられ、一端が基板１３の表面に他端が内壁枠裏当て板１５に固着されたコイルスプリング１８と、スペーサ１７のパイプ部材１６内に挿通されて基板１３の表面側から螺合された固定ボルト１９と、該固定ボルト１９の頭部近傍に装着される内壁枠押さえ板２０とを、具備してなるものである。尚、本発明において、基板１３及び内壁枠裏当て板１５の表面・裏面とは、内壁パネル固定金具４を軸組２に取り付けた際の屋内側面・屋外側面を意味している。
【００２３】
基板１３は、図７及び図８に示すように、略矩形の鋼板の上下両端部を裏面側に略９０°曲折して曲折部１３ａを形成したものである。この上下の各曲折部１３ａの幅方向中央部には、嵌合突片１３ｂがそれぞれ突設され、該嵌合突片１３ｂは、図１に示すように、隣接する軸組２の隙間２１に嵌合する形状となっている。これにより、内壁パネル固定金具４を軸組２に取り付ける際に、嵌合突片１３ｂを軸組２の隙間２１に嵌合させるようにして基板１３を配置することで、内壁パネル固定金具４の水平方向への位置ズレを防止することが可能となっている。また、図８に示すように、基板１３の幅方向中央部には、前記係止部材１４を挿通させるための挿通孔１３ｃが、その鉛直下方には、前記固定ボルト１９を螺合させるためのネジ孔１３ｄがそれぞれ形成されている。
【００２４】
係止部材１４は、図８に示すように、鋼製の丸棒の一端部にネジ部１４ａが、他端部に幅広な拡幅部１４ｂが設けられてなるものである。この係止部材１４は、丸棒部分とネジ部１４ａの外径が軸組２の隙間２１の幅より小さくなるように、且つ、拡幅部１４ｂが、平面視では前記隙間２１の幅より幅広であって、側面視では前記隙間２１の幅より幅狭となるように形成されている。これにより、係止部材１４は、拡幅部１４ｂを縦向きにした場合には前記隙間２１を通過することができ、拡幅部１４ｂを横向きにした場合には前記隙間２１を通過できないものとなっている。また、係止部材１４の長さは前記隙間２１の奥行きより若干長くなっている。このように構成される係止部材１４が、図７及び図８に示すように、基板１３の裏面側から挿通孔１３ｃに挿通され、基板１３の表面側に突出したネジ部１４ａにナット２２が螺合されることにより、基板１３に固定されている。
【００２５】
スペーサ１７は、断熱内壁パネル３を軸組２から所定距離だけ離間させるためのものであり、図８に示すように、断熱内壁パネル３を屋外側から支持する内壁枠裏当て板１５と、断熱内壁パネル３と軸組２との間に所定距離を確保するためのパイプ部材１６とを具備してなるものである。内壁枠裏当て板１５は、矩形の鋼板の左右両端部が略９０°曲折され、その幅方向中央部にパイプ部材１６を嵌挿させるための嵌挿穴１５ａが形成されたものである。この内壁枠裏当て板１５は、図３に示すように、その左右両端部が、内壁パネル固定金具４の左右両側方に建て込まれる各断熱内壁パネル３に対し、その内壁枠８を構成する縦柱６の屋外側面にそれぞれ当接することによって屋外側から支持するものである。従って、内壁枠裏当て板１５の横幅は、左右の縦柱６を確実に支持できるよう、縦柱６の横幅、左右の断熱内壁パネル３間に設ける目地２３の幅等を考慮して決められている。
【００２６】
パイプ部材１６は、図８に示すように、断面形状が略矩形である角形鋼管であって、その太さは前記固定ボルト１９を挿通し得る程度である。このパイプ部材１６は、内壁枠裏当て板１５の前記嵌挿穴１５ａに、内壁枠裏当て板１５に直交するように嵌挿されて溶接等により固着されている。このパイプ部材１６の屋外側端部１６ａが、図５に示すように、基板１３の表面に当接することにより、内壁枠裏当て板１５によって屋外側から支持された断熱内壁パネル３は、それ以上屋外側へは移動することができず、断熱内壁パネル３と軸組２との間に所定距離が確保されるものとなっている。この時、断熱内壁パネル３の軸組２からの離間距離は、パイプ部材１６のうち内壁枠裏当て板１５の裏面から突出した部分（以下、「裏面側突出部」という）１６ｂの長さによって決定される。一方、パイプ部材１６のうち内壁枠裏当て板１５の表面から突出した部分（以下、「表面側突出部」という）１６ｃの長さは、図４に示すように、内壁枠裏当て板１５が縦柱６の屋外側面に当接した状態において、パイプ部材１６の屋内側端部１６ｄが縦柱６の段落ち部６ｂより屋内側に突出しない程度としている。これにより、段落ち部６ｂに前記内壁枠押さえ板２０を配設する際に、パイプ部材１６の屋内側端部１６ｄが内壁枠押さえ板２０に干渉しないようになっている。尚、本実施例ではパイプ部材１６として角形鋼管を用いているが、これに限られず、例えば断面円形の丸形鋼管その他を用いることも可能である。
【００２７】
コイルスプリング１８は、前記内壁枠裏当て板１５を前記基板１３と反対方向へ付勢するためのものである。このコイルスプリング１８は、図７及び図８に示すように、前記パイプ部材１６の裏面側突出部１６ｂに外嵌して設けられ、一端が基板１３の表面に他端が内壁枠裏当て板１５の裏面にそれぞれ当接している。コイルスプリング１８の長さは、図２に示すように、外力が負荷されない状態における初期長さＬ１が、パイプ部材１６の裏面側突出部１６ｂの長さの略２倍程度であって、且つ、図５に示すように、圧縮力が負荷されて最も縮んだ状態における長さＬ２が、パイプ部材１６の裏面側突出部１６ｂの長さと略等しいか若干小さくなっている。これにより、スペーサ１７は、外力が負荷されない場合には、内壁枠裏当て板１５が基板１３からコイルスプリング１８の初期長さＬ１分だけ離間した状態となっており、屋外側への外力が負荷された場合には、コイルスプリング１８の存在にかかわらず、パイプ部材１６の屋外側端部１６ａが基板１３の表面に当接するまで移動可能となっている。また、コイルスプリング１８は、スペーサ１７の屋外側への移動の妨げとならない程度の付勢力を有していることが好ましい。
【００２８】
固定ボルト１９は、前記内壁枠押さえ板２０を介して断熱内壁パネル３を屋外側へ押圧して所定位置で固定するものである。この固定ボルト１９は、図８に示すように、頭部１９ａと長尺な軸部１９ｂとを有し、軸部１９ｂの全長に渡ってネジが形成され、頭部１９ａにプラスドライバＰＤを差し込むための十字型の溝１９ｃが形成されている。ここで、頭部１９ａは、図３に示すように、パイプ部材１６の開口部より若干大きく、相隣接する断熱内壁パネル３間に設けられた目地２３の幅より若干小さいものである。また、軸部１９ｂは、図２に示すように、その外径が軸組２の隙間２１の幅より小さく、且つ、その長さがコイルスプリング１８の前記初期長さＬ１と前記パイプ部材１６の表面側突出部１６ｃの長さとを合わせた長さよりも十分大きくなっている。このような固定ボルト１９の軸部１９ｂが、図７及び図８に示すように、パイプ部材１６内に挿通され、その先端部が基板１３の表面側から前記ネジ孔１３ｄに螺合されている。この時、固定ボルト１９は、軸部１９ｂの根元部分に前記内壁枠押さえ板２０を装着できるよう、頭部１９ａがパイプ部材１６の開口部と当接する手前までしかねじ込まれず、軸部１９ｂの根元部分が若干露呈された状態となっている。また、図２に示すように、基板１３の裏面から突出した軸部１９ｂの先端部は、前述のように軸部１９ｂの外径が軸組２の隙間２１の幅より小さいため、該隙間２１の奥へと挿入されるものとなっている。
【００２９】
内壁枠押さえ板２０は、固定ボルト１９の頭部１９ａと縦柱６の間に介在され、固定ボルト１９の頭部１９ａから受けた押圧力を縦柱６に伝えることで、断熱内壁パネル３を屋外側へ押圧するものである。この内壁枠押さえ板２０は、図７及び図８に示すように、矩形の鋼板の上下両端部を曲折してコの字型に形成したものであり、縦柱６を押圧する押圧面２０ａと、該押圧面２０ａと略直交する上曲折面２０ｂ及び下曲折面２０ｃとを有している。ここで、上曲折面２０ｂ及び下曲折面２０ｃの折り曲げ幅は、縦柱６に形成された前記段落ち部６ｂの段差より若干小さく、内壁枠押さえ板２０全体を段落ち部６ｂの内部に収容できるようになっている。また、内壁枠押さえ板２０の幅方向中央部には、図８に示すように、固定ボルト１９の軸部１９ｂの根元部分に装着するための切欠き２０ｄが形成されている。この切欠き２０ｄは、下曲折面２０ｃから押圧面２０ａの高さ方向中央部に渡って形成され、その最上部は固定ボルト１９の軸部１９ｂの形状に合わせて円弧状となっている。該切欠き２０ｄの横幅は、固定ボルト１９の軸部１９ｂの外径と略等しくなっており、該切欠き２０ｄを軸部１９ｂの根元部分に嵌合させるようにして、軸部１９ｂの上方から内壁枠押さえ板２０を落とし込むことにより、内壁枠押さえ板２０を固定ボルト１９に挿着することが可能となっている。また、押圧面２０ａにおける切欠き２０ｄの左右両側にはビス孔２０ｅがそれぞれ形成されており、内壁枠押さえ板２０を縦柱６の段落ち部６ｂにビス固定するものとなっている。尚、本発明では、前述のように、固定ボルト１９の頭部１９ａが、相隣接する断熱内壁パネル３間の目地２３の幅より小さいため、固定ボルト１９の頭部と縦柱６の間に内壁枠押さえ板２０を介在させているが、固定ボルト１９の頭部１９ａを目地２３の幅より大きくして、頭部１９ａを直接縦柱６に当接させることにより、固定ボルト１９の締結力を断熱内壁パネル３に伝えることも可能である。しかし、本発明のように内壁枠押さえ板２０を用いて縦柱６との接触面積を大きくした方が、固定ボルト１９の締結力をより確実に断熱内壁パネル３に伝えることができる。
【００３０】
以下、本実施例に係る内壁部１の施工手順について説明する。まず、内壁枠押さえ板２０が装着されていない状態の内壁パネル固定金具４を軸組２に取り付ける。すなわち、図９に示すように、内壁パネル固定金具４の係止部材１４を、拡幅部１４ｂを縦向きにして軸組２の隙間２１へ挿入し、拡幅部１４ｂが軸組２の屋外側へ突出するまで挿通させた後、係止部材１４を９０°回転させて屋内側へと引き寄せる。これにより、図１に示すように、拡幅部１４ｂが軸組２の屋外側面に係止される。この状態において、図１０に示すように、基板１３を上下の各嵌合突片１３ｂが隙間２１にそれぞれ嵌合するようにして軸組２に押し当て、ナット２２を締め付ける。これにより、内壁パネル固定金具４が軸組２に固定される。更に、図に詳細は示していないが、これと同様にして、軸組２に沿って所定間隔ごとに複数の内壁パネル固定金具４を順次取り付ける。
【００３１】
次に、断熱内壁パネル３の建て込みを行う。すなわち、図１０に示すように、軸組２に固定した内壁パネル固定金具４の左右両側から、断熱内壁パネル３を、その縦柱６の屋外側面に内壁枠裏当て板１５を沿わせ、且つ、隣接する断熱内壁パネル３間に所定幅の目地２３を設けるようにしてそれぞれ配置する。ここで、前述のように、易変形断熱材９はスタッド１２により縦柱６に固定されているので、スタッド１２のない箇所を掴んで縦柱６から引き離すことにより、図１０に示すように、易変形断熱材９と縦柱６の間に若干の隙間２４を開けることが可能となっている。この隙間２４に、内壁枠裏当て板１５の一端部を差し込むことにより、内壁枠裏当て板１５を縦柱６の屋外側面に沿わせることができる。また、この時、図３に示すように、易変形断熱材９を内壁パネル固定金具４側に押し込んでおく。内壁枠裏当て板１５と基板１３との間には、コイルスプリング１８の初期長さＬ１分の広い間隔が確保されているので、易変形断熱材９を押し込みやくなっている。
【００３２】
次に、断熱内壁パネル３を軸組２に固定する。すなわち、図１１に示すように、固定ボルト１９の軸部１９ｂにおける根元部分に、内壁枠押さえ板２０を、切欠き２０ｄを軸部１９ｂに嵌合させるようにして装着し、その押圧面２０ａを縦柱６の段落ち部６ｂに当接させる。そして、固定ボルト１９の頭部１９ａの十字溝１９ｃにプラスドライバＰＤ等を差し込んで右回転させることにより、固定ボルト１９を屋外側へねじ込む。これに伴い、固定ボルト１９の締結力が内壁枠押さえ板２０を介して断熱内壁パネル３へと伝達されて、断熱内壁パネル３は屋外側へ移動を開始し、図４及び図５に示すように、パイプ部材１６の屋外側端部１６ａが基板１３の表面に当接することにより、断熱内壁パネル３は移動を停止する。この状態において、断熱内壁パネル３は、固定ボルト１９の締結力によって屋外側へ押圧される内壁枠押さえ板２０と、コイルスプリング１８の付勢力によって屋内側へ押圧される内壁枠裏当て板１５との間に挟持され、その位置が固定されるものとなっている。一方、易変形断熱材９は、断熱内壁パネル３が屋外側へ移動するに従って、内壁パネル固定金具４及び軸組２の形状に沿って弾性変形し、断熱内壁パネル３の固定が完了した時には、図４及び図１２に示すように、縦柱６と軸組２との間の空間１１に隙間なく充填されるものとなっている。
【００３３】
次に、内壁部１の仕上がり状態を確認する。すなわち、図に詳細は示さないが、水糸またはクロスライン等を用いて断熱内壁パネル３の通りを測定し、ボード定規等を用いて断熱内壁パネル３の建ちを測定し、これらが予め定められた基準値内に入っているかどうかを確認する。
【００３４】
最後に、仕上がり状態に応じて断熱内壁パネル３の位置を微調整する。すなわち、断熱内壁パネル３の建ち・通りの測定結果が基準値内に入っていない場合、これを基準値内に入るよう修正する。この場合、図に詳細は示さないが、固定ボルト１９の頭部１９ａの十字溝１９ｃにプラスドライバＰＤ等を差し込んで左回転させることにより屋内側へ若干戻す。これに伴い、断熱内壁パネル３も屋内側へ若干移動するので、その位置を屋内側へ微調整することができる。このように、断熱内壁パネル３を所望の距離だけ屋内側へ移動させた後、再びその建ち・通りを測定する。測定結果が基準値内に入っていなければ、断熱内壁パネル３の屋内側への移動と、建ち・通りの測定とを、測定結果が基準値内に入るまで繰り返す。
【００３５】
以上述べたように、本発明に係る内壁パネル固定金具４によれば、断熱内壁パネル３を、内壁枠８と軸組２との間の空間１１を広く確保した状態で建て込み、その後に屋外側へ移動させて所定位置で軸組２に固定することができる。従って、断熱内壁パネル３の建て込み時に、内壁枠８の屋外側面８ａを覆って設けられた易変形断熱材９を、内壁枠８と軸組２との間の空間１１に容易に押し込むことができ、且つ、固定ボルト１９を屋外側へねじ込むだけの簡易な作業により、易変形断熱材９を前記空間１１に隙間なく充填させることができる。これにより、内壁部１の高い断熱性能を容易且つ確実に達成することができる。また、断熱内壁パネル３を軸組２に固定した後に、その仕上がり状態に応じて、屋内側からの簡易な作業により断熱内壁パネル３の位置を屋内側に微調整することができる。これにより、内壁部１において高い精度の仕上がりを達成することができる。尚、内壁パネル固定金具４は、本実施例では、内壁部１において断熱内壁パネル３を軸組２に固定するものとして用いているが、基板１３や係止部材１４等の形状を適宜変更することにより、内壁部１以外の場所においても、パネル化された部材の固定金具として使用することが可能である。
【図面の簡単な説明】
【００３６】
【図１】内壁パネル固定金具４を軸組２に取り付けた状態を示す概略平面図。
【図２】図１におけるＡ−Ａ線断面図。
【図３】断熱内壁パネル３を建て込んだ状態を示す概略平面図。
【図４】断熱内壁パネル３を軸組２に固定した状態を示す概略平面図。
【図５】図４におけるＢ−Ｂ線断面図。
【図６】断熱内壁パネル３の構成を示す分解斜視図。
【図７】内壁パネル固定金具４の構成を示す概略斜視図。
【図８】内壁パネル固定金具４の構成を示す分解斜視図。
【図９】本実施例に係る内壁部１の施工手順を説明するための説明図。
【図１０】本実施例に係る内壁部１の施工手順を説明するための説明図。
【図１１】本実施例に係る内壁部１の施工手順を説明するための説明図。
【図１２】本実施例に係る内壁部１の施工手順を説明するための説明図。
【図１３】従来例に係る内壁部８０の構造を示す概略斜視図。
【符号の説明】
【００３７】
２  軸組
３  断熱内壁パネル（内壁パネル）
４  内壁パネル固定金具
５  軸柱
８  内壁枠
８ａ  屋外側面
８ｂ  屋内側面
９  易変形断熱材（断熱材）
１３  基板
１４  係止部材
１４ｂ  拡幅部
１５  内壁枠裏当て板
１６  パイプ部材
１６ｂ  裏面側突出部
１７  スペーサ
１８  コイルスプリング
１９  固定ボルト
１９ａ  頭部
１９ｃ  溝
２０  内壁枠押さえ板
２１  隙間
Ｌ１  初期長さ
ＰＤ  プラスドライバ（ドライバ）
【図１】
2006070496.tif 000003
【図２】
2006070496.tif 000004
【図３】
2006070496.tif 000005
【図４】
2006070496.tif 000006
【図５】
2006070496.tif 000007
【図６】
2006070496.tif 000008
【図７】
2006070496.tif 000009
【図８】
2006070496.tif 000010
【図９】
2006070496.tif 000011
【図１０】
2006070496.tif 000012
【図１１】
2006070496.tif 000013
【図１２】
2006070496.tif 000014
【図１３】
2006070496.tif 000015